(57)【要約】      （修正有）【課題】天然の無垢の木材を装飾体として使用して、天板の表面に木目模様、板目、節を付けて装飾性を向上させたテーブルを提供する。【解決手段】木材の天板表面に木材の特有な節、及び板目模様の複数個付けた装飾体を付けたテーブル家具であって、無垢板材の平板表面に意匠的な節部１〜３個、特異的板目模様１〜３個、意匠的変形模様１〜３個を持って、全体的に意匠性を呈する表面になる横縁面４を曲線状、又は折線状、又は直線状に選択的に切削して、選択された切削状態によって各無垢材９に接する両横縁面をお互いに密着接合できるようにして、３〜５枚を無垢材の横縁面で張り合わせて、天板の表面の装飾性を高めて節、木目の異相面になっている接合模様部を縦方向に２〜４本線と、全表面で節部３〜１０個と、鮮明な模様の板目部３〜１０個と、腐食模様の変容部１〜３個とを呈して節・板目を強調した。【選択図】図１
0003227190.tif 000002
【実用新案登録請求の範囲】
【請求項１】
木材の天板表面に木材の特有な節、及び板目模様の複数個付けた装飾体を付けたテーブル家具において、無垢板材厚さ２０〜５０ｍｍ、幅１００〜３００ｍｍ、長さ１２００〜２２００ｍｍの無垢板材の平板表面に意匠的な節部１〜３個、特異的板目模様１〜３個、意匠的変形模様１〜３個を持って、全体的に意匠性を呈する表面になる横縁面を曲線状、又は折線状、又は直線状に選択的に切削して、選択された切削状態によって各無垢材に接する両横縁面をお互いに密着接合できるようにして、３〜５枚を前記無垢材の横縁面で張り合わせて、天板の表面の装飾性を高めて節、木目の異相面になっている接合模様部を縦方向に２〜４本線と、全表面で２０〜８０ｍｍ径の節部３〜１０個と、鮮明な模様の板目部３〜１０個と、腐食模様の変容部１〜３個とを呈していることを特徴とする節・板目を強調した装飾天板のテーブル。
【請求項２】
厚さ２０〜５０ｍｍ、幅２００〜３００ｍｍ、長さ１２００〜２２００ｍｍの無垢板材の平板表面に節部１〜３個と、板目模様を１〜３個と、腐食模様の変容部１〜３個とを存在する曲線状、又は折線状、又は直線状無垢材は、節部と板目模様部と変形模様部とそれぞれ意匠的に存在させて、各無垢板材の木目模様が異質に引き立たせて、曲線状、又は折線状、又は直線状接合面を種々選択して装飾的模様の状態になるように、３〜５枚の無垢板によって２〜４箇所の密着接合面になるように切削装置にて無垢板材の各接合線の横縁面を正確に一致できるように切削加工を行い、これらの各々の線状無垢板材がお互いに密接に接合して、一枚の幅広長方形体の無垢板で意匠的な表現を示す天板になっていることを特徴とする請求項１に記載の節・板目を強調した装飾天板のテーブル。
【請求項３】
天板表面に厚さ２０〜５０ｍｍ、曲線状部、又は折線状部、又は直線状部を含む幅１００〜３００ｍｍ、長さ１２００〜２２００ｍｍの無垢板材３〜５枚の表面に節部１〜３個と、板目模様を１〜３個と、腐食模様の変容部１〜３個とを持ち、各無垢板材の横縁面で張り合わせ天板横縁面を曲線状、又は折線状、又は直線状に切削機によって切削して、各曲線状、又は各折線状、又は各直線状無垢板材を使用して、前記各無垢板材に接する両横縁面を密着接合した、幅９００〜１２００ｍｍ、長さ１２００〜２２００ｍｍのテーブルにおいて、前記無垢板材の材料を、ウォールナット、クリ、チェリー、オークから選ばれた曲線状部、又は折線状部、又は直線状部を含む幅１００〜３００ｍｍ、長さ１２００〜２２００ｍｍであって、２〜４本線を異相模様の木質材で線状をもって互いに合わせるように接合して、表面に木目で異なる曲線状部、又は折線状部、又は直線状部を縦方向に２〜４本線と、１０〜５０ｍｍ径の節部３〜１０個と、鮮明な板目模様部３〜１０個と腐食模様の変容部１〜３個とを持ち、前記節部、及び前記板目部の周辺部分である木質軟部を研磨して、木材面の木質硬部の節形状と板目形状を引き立たせて、保護剤を塗布されていることを特徴とする請求項１、又は請求項２に記載の節・板目を強調した装飾天板のテーブル。
【請求項４】
無垢板材の表面に存在する節部、及び板目部、及び腐食模様の変容部の周辺部分である木質軟部を研磨して、木材面の木質硬部の節形状と板目形状とを引き立たせて模様を付けた装飾板材を製作する当たり、えぐりカッターによる浮造り仕上げで彫り込み、全面を２種類以上のサンドペーパーにより順次に研磨することによって得られた装飾性曲線部を持つ無垢材であり、前記木質硬部の節形状と板目形状をえぐりカッターにより浮造り仕上げにして、順次に研磨した後に保護剤として、植物性油脂、液体ウレタン樹脂と家具に適した顔料からなる保護塗料によって研磨した部分に塗布した無垢板材を曲線状、又は折線状、又は直線状に接合した装飾材であることを特徴とする請求項１〜請求項３のいずれかに記載の節・板目を強調した装飾天板のテーブル。
【請求項５】
節・板目を強調して曲線状、又は折線状、又は直線状模様を付けた装飾的天板は、一枚接合板状の厚板の無垢板材の天板、又は板状を組み合わせた箱状天板であって、前記天板体の側面にも節・板目・腐食模様を強調した模様を呈しており、無垢板材の厚さ２０〜５０ｍｍ、及び箱状天板の厚さ８０〜１５０ｍｍにしていることを特徴とする請求項１〜請求項４のいずれかに記載の節・板目を強調した装飾天板のテーブル。
【考案の詳細な説明】
【技術分野】
【０００１】この考案は、天然の無垢の木材を装飾体として使用して、天板の表面に節・板目を強調して曲線状模様を付けた装飾天板のテーブルに関する。
【背景技術】
【０００２】木材の節のある面を特徴付けて、装飾性を持たせた上に木材の本来の特性が生かされ装飾材として家具に使用すれば、今までにない趣をもった天然性の加工材であり、商品価値の高い家具を得られるようにする。とくに木材の特定の面の節を、外観上は節を浮き上がらせて、保護剤による処理をするとともに、自然な外観の板ように趣のある家具が提案されている（特許文献１参照）。【０００３】木材の表面にウェーブを付けて浮き立たせた装飾材を使用した家具において、木材の表面にウェーブを深さ３〜７ｍｍ程度、さらに当該装飾板表面の３０平方センチメートル当たりウェーブの数を２〜２０で、ウェーブの幅１０〜１００ｍｍに彫り込み、その部分を研磨して、保護塗料を塗布することによって得られた木材の杢目をさらに際立たせた装飾材を使用して、自然性のある家具を構成する木材の杢目の部分を自然に浮き出たような感じにして装飾材として使用し、自然性と高級感を高めた家具を提供する（特許文献２参照）。【０００４】表面に入皮、割れ目、又は死に節、欠落箇所１を持つ厚さ２０〜１００ｍｍの無垢木材を浮き立たせた装飾板材を使用した幅９００〜１２００ｍｍ、長さ１２００〜２４００ｍｍのテーブルにおいて、前記無垢木材の表面に存在する最大欠落部の位置で幅２０〜１００ｍｍ、長さ５０〜７００ｍｍの大きさをもつ、入皮、割れ目、欠落箇所、死に節１に透明樹脂を埋め込んでいる欠落装飾模様呈している場所を１〜５箇所に装飾修正されている前記装飾板材を天板、及び脚材に使用されている欠落天然木を浮き立たせた樹脂で修正した装飾模様をもつ無垢木製テーブルが提案されている（特許文献３参照）。【０００５】従来、節のある木材は、節の無い木材に比べて一般的には品質が落ちるものとされ、特に家具のように、木材の木肌をそのまま見せる部分では、節のない木材を選ぶか、節をかくした材料を使用して、家具の表面を装飾して、また木製材の表面に透明な塗装を施し、透明塗装後の木製材の表面を無秩序に削ることにより微細な凹凸を形成して乱反射面とする効果を使用して、意匠性を持たせるものを提供されている（特許文献４，５参照）。【０００６】さらにオンリーワンの独創的な家具において安価に、自由度を高めたものであって、安価で自然感をもたらされた突板を使用した家具を提供することで、節を有する突板を貼った木製材料を前板に使用した家具の表面板、及び天板、及び側板に、０．１〜０．５ｍｍの厚さで、板面に節の大きさ１０〜７０ｍｍを、１個〜５個を有する突板を張り付けている化粧板を使用している節入り突板張り化粧板を使用した家具の提案がある（特許文献６参照）。【０００７】木材の表面に割れ目、欠落箇所、死に節を持つ無垢木材の割れ目、欠落箇所、死に節を持つ特有の形状、状態を模様にして、家具の表面に使用して有効に活用してきた。外観上は無垢木材の割れ目、欠落箇所、死に節を持つ木材を入手することが難しく、またその部分を浮き立たせた装飾性天然木に仕上げることは難しい。更に樹脂で修正した装飾模様を出さした木材、更に天板を持つ木製テーブルも存在するが、そのような材料の補修が非常に難しい状態である。上記のような無垢板材を特徴ある張り合わせ面の切断面を曲線状、折れ線状、直線状の種々の線状から選ばれた装飾ある不規則な表面の天板は存在していない。
【先行技術文献】
【特許文献】
【０００８】
【特許文献１】実用新案登録第３１１３９４４号
【特許文献２】実用新案登録第３１６２２２５号
【特許文献３】実用新案登録第３２１７０８３号
【特許文献４】特開２０００−２５０１４号公報
【特許文献５】特開平１１−３１４２０７号公報
【特許文献６】実用新案登録第３２１１２７９号公報
【考案の概要】
【考案が解決しようとする課題】
【０００９】既に木材の表面に割れ目、欠落箇所、死に節を持つ無垢木材の割れ目、欠落箇所、死に節を持つ特有の形状、状態を模様にして、家具の表面に使用して有効に活用してきた。外観上は無垢木材の割れ目、欠落箇所、死に節を持つ木材を入手することが難しく、またその部分を浮き立たせた装飾性天然木に仕上げることも難しい。更に装飾模様を出さした木材、更に天板を持つ木製テーブルも存在するが、そのような材料を組み合わせて節、木目を特徴付ける装飾表面の製作が非常に難しい状態である。特殊な節、木目、腐食面を模様としてオンリーワンの装飾体にもなって、外観上は無垢木材の板目、節、及び木目状態など無垢板の表面状態を特別に引き立たせた模様を活用した装飾性接合天然木に仕上げるためには、種々の面を選択して、節、木目、腐食面を模様を多くした面を持つ材料として利用して行くことも必要となっている木製テーブルも期待されている。それには各材料の切断面を種々の状態で切断して、接合面を種々変えて接合させることで天板の装飾性を向上させることが必要になってくる。【００１０】以上のように木材の表面の意匠を持たせるために、全体、部分的に曲線状、又は折線状、又は直線状に切断・接合によって木目模様、あるいは板目模様を引き立たせる木質の、材質の特徴を活かした面になり、使用する材料を適宜切断して、それを接合することによって板目、節、変容の周囲を研磨して装飾表面に５〜１０ｍｍ高低のウエーブを設けて、特殊模様をした板面模様の幅３０〜２５０ｍｍで曲線状、又は折線状、又は直線状模様にした天板として特有の模様・形状・状態に仕上げるものである。特殊な模様のオンリーワンの装飾体に活かす方法として、木材の装飾的体の部分が自然で、人工的装飾体を浮き出たような感じにすることが考えられる。装飾材としてテーブルに自然性を持たせて、装飾性を高めることを期待されている。
【課題を解決するための手段】
【００１１】木材の天板表面に木材の特有な節、及び板目模様の複数個付けた装飾体を付けたテーブル家具において、無垢板材厚さ２０〜５０ｍｍ、幅１００〜３００ｍｍ、長さ１２００〜２２００ｍｍの無垢板材の平板表面に意匠的な節部１〜３個、特異的板目模様１〜３個、意匠的変形模様１〜３個を持って、全体的に意匠性を呈する表面になる横縁面を曲線状、又は折線状、又は直線状に選択的に切削して、選択された切削状態によって各無垢材に接する両横縁面をお互いに密着接合できるようにして、３〜５枚を前記無垢材の横縁面で張り合わせて、天板の表面の装飾性を高めて節、木目の異相面になっている接合模様部を縦方向に２〜４本線と、全表面で２０〜８０ｍｍ径の節部３〜１０個と、鮮明な模様の板目部３〜１０個と、腐食模様の変容部１〜３個とを呈している節・板目を強調した装飾天板のテーブルである。【００１２】厚さ２０〜５０ｍｍ、幅２００〜３００ｍｍ、長さ１２００〜２２００ｍｍの無垢板材の平板表面に節部１〜３個と、板目模様を１〜３個と、腐食模様の変容部１〜３個とを存在する曲線状、又は折線状、又は直線状無垢材は、節部と板目模様部と変形模様部とそれぞれ意匠的に存在させて、各無垢板材の木目模様が異質に引き立たせて、曲線状、又は折線状、又は直線状接合面を種々選択して装飾的模様の状態になるように、３〜５枚の無垢板によって２〜４箇所の密着接合面になるように切削装置にて無垢板材の各接合線の横縁面を正確に一致できるように切削加工を行い、これらの各々の線状無垢板材がお互いに密接に接合して、一枚の幅広長方形体の無垢板で意匠的な表現を示す天板になっている。【００１３】天板表面に厚さ２０〜５０ｍｍ、曲線状部、又は折線状部、又は直線状部を含む幅１００〜３００ｍｍ、長さ１２００〜２２００ｍｍの無垢板材３〜５枚の表面に節部１〜３個と、板目模様を１〜３個と、腐食模様の変容部１〜３個とを持ち、各無垢板材の横縁面で張り合わせ天板横縁面を曲線状、又は折線状、又は直線状に切削機によって切削して、各曲線状、又は各折線状、又は各直線状無垢板材を使用して、前記各無垢板材に接する両横縁面を密着接合した、幅９００〜１２００ｍｍ、長さ１２００〜２２００ｍｍのテーブルにおいて、前記無垢板材の材料を、ウォールナット、クリ、チェリー、オークから選ばれた曲線状部、又は折線状部、又は直線状部を含む幅１００〜３００ｍｍ、長さ１２００〜２２００ｍｍであって、２〜４本線を異相模様の木質材で線状をもって互いに合わせるように接合して、表面に木目で異なる曲線状部、又は折線状部、又は直線状部を縦方向に２〜４本線と、１０〜５０ｍｍ径の節部３〜１０個と、鮮明な板目模様部３〜１０個と腐食模様の変容部１〜３個とを持ち、前記節部、及び前記板目部の周辺部分である木質軟部を研磨して、木材面の木質硬部の節形状と板目形状を引き立たせて、保護剤を塗布されている。【００１４】  無垢板材の表面に存在する節部、及び板目部、及び腐食模様の変容部の周辺部分である木質軟部を研磨して、木材面の木質硬部の節形状と板目形状とを引き立たせて模様を付けた装飾板材を製作する当たり、えぐりカッターによる浮造り仕上げで彫り込み、全面を２種類以上のサンドペーパーによ���順次に研磨することによって得られた装飾性曲線部を持つ無垢材であり、前記木質硬部の節形状と板目形状をえぐりカッターにより浮造り仕上げにして、順次に研磨した後に保護剤として、植物性油脂、液体ウレタン樹脂と家具に適した顔料からなる保護塗料によって研磨した部分に塗布した無垢板材を曲線状、又は折線状、又は直線状に接合した装飾材であることを特徴とする請求項１〜請求項３のいずれかに記載の節・板目を強調した装飾天板のテーブル。【００１５】節・板目を強調して曲線状、又は折線状、又は直線状模様を付けた装飾的天板は、一枚接合板状の厚板の無垢板材の天板、又は板状を組み合わせた箱状天板であって、前記天板体の側面にも節・板目・腐食模様を強調した模様を呈しており、無垢板材の厚さ２０〜５０ｍｍ、及び箱状天板の厚さ８０〜１５０ｍｍにしている。
【考案の効果】
【００１６】曲線状木目模様、あるいは板目模様を引き立たせる木質の、材質の特徴を活かして板目、節、変容の周囲を研磨して装飾表面に５〜１０ｍｍ高低のウエーブを設けて、板面で接合部において曲線状、又は折線状、又は直線状模様を不自然にしかも無垢材に設けて、天板の装飾性として特有の形状、状態、模様をもっており、特殊な模様としてオンリーワンの天板の装飾体にもなっている。この天板の板目、節を持つ無垢木材で木目、板目、変容の形状、あるいは節の形状を天板の特有の模様的に活用できた装飾性天板を持つ無垢木製テーブルになった。
【図面の簡単な説明】
【００１７】
【図１】節・板目を強調して曲線状模様を付けた装飾天板のテーブルの斜視図
【図２】節・板目を強調して折れ線状、直線状模様を付けた装飾天板のテーブルの斜視図
【図３】直線状無垢材を多く接合させて、一枚の長方体の無垢板を組み合わせて装飾的な天板の斜視図
【図４】曲線状無垢材をお互いに接合させて、一枚の長方体の箱状体の装飾的な表面配置にしている状態の斜視図
【考案を実施するための形態】
【００１８】  無垢木材の表面に意匠性デザインを持たせるために、その表面と切削面の差を付けて、杢目を浮き立たせる方法として、無垢の木材における杢目の部分に欠落部を樹脂によって修正せて、自然の無垢材欠陥部に浮き出たような感じにする。この装飾材を家具に使用して意匠性、自然性を高めている。
この考案は、図１、及び図２に示すように天然の無垢木材の表面の意匠性を高める方法して、木材に特徴を持たせた面を特徴付けて、装飾性を持たせる無垢板を使用した家具を製作した。
【実施例１】
【００１９】図１に示すように、木材の天板表面に木材の特有な節、及び板目模様の複数個付けた装飾体を付けたテーブル家具において、ウォールナットの無垢板材厚さ４０ｍｍ、幅約２００〜２５０ｍｍ、長さ２２００ｍｍの無垢板材の平板表面に意匠的な節部１〜３個、特異的板目模様１〜３個、意匠的変形模様１〜３個を持って、全体的に意匠性を呈する表面になる横縁面を曲線状の接合面を有する様に選択的に切削して、選択された切削状態によって各ウォールナットの無垢材に接する両横縁面をお互いに密着接合できるようにして、５枚を前記無垢材の横縁面で張り合わせて、天板の表面の装飾性を高めて節、変形、木目の異相面になっている接合模様部を縦方向に４本線と、全表面で２０〜８０ｍｍ径の節部９個と、鮮明な模様の板目部５個と、腐食模様の変容部３個とを呈している節・板目を強調した装飾天板のテーブルの天板であった。【００２０】厚さ４０ｍｍ、幅約２００〜２５０ｍｍ、長さ２２００ｍｍのウォールナット無垢板材の平板表面に節部１〜３個と、板目模様を１〜３個と、腐食模様の変容部１〜３個とを存在する曲線状、又は折線状、又は直線状無垢材は、節部と板目模様部と変形模様部とそれぞれ意匠的に存在させて、各無垢板材の木目模様が異質に引き立たせて、曲線状接合面を種々選択して装飾的模様の状態になるように、５枚の無垢板によって４箇所の密着接合面になるように切削装置にて無垢板材の各接合線の横縁面を正確に一致できるように切削加工を行い、これらの各々の線状無垢板材がお互いに密接に接合して、一枚の幅広長方形体の無垢板で意匠的な表現を示す脚付き天板のテーブルになった。【００２１】天板表面に厚さ４０ｍｍ、曲線状部を含む幅３００ｍｍ、長さ２２００ｍｍの無垢板材５枚の表面に節部１〜３個と、板目模様を１〜３個と、腐食模様の変容部１〜３個とを持ち、各無垢板材の横縁面で張り合わせ天板横縁面を曲線状、又は折線状、又は直線状に切削機によって切削して、各曲線状、又は各折線状、又は各直線状無垢板材を使用して、前記各無垢板材に接する両横縁面を密着接合した、幅１０００ｍｍ、長さ２２００ｍｍのテーブルにおいて、前記無垢板材の材料を、ウォールナットから選ばれた曲線状部を含む幅２００〜２５０ｍｍ、長さ２２００ｍｍであって、４本線を異相模様の木質材で線状をもって互いに合わせるように接合して、表面に木目で異なる曲線状部を縦方向に２〜４本線と、１０〜５０ｍｍ径の節部９個と、鮮明な模様の板目部５個と、腐食模様の変容部３個とを持ち、前記節部、及び前記板目部の周辺部分である木質軟部を研磨して、木材面の木質硬部の節形状と板目形状を引き立たせて、保護剤を塗布した。【００２２】  無垢板材の表面に存在する節部、及び板目部、及び腐食模様の変容部の周辺部分である木質軟部を研磨して、木材面の木質硬部の節形状と板目形状とを引き立たせて模様を付けた装飾板材を製作する当たり、えぐりカッターによる浮造り仕上げで彫り込み、全面を２種類以上のサンドペーパーにより順次に研磨することによって得られた装飾性曲線部を持つ無垢材であり、前記木質硬部の節形状と板目形状をえぐりカッターにより浮造り仕上げにして、順次に研磨した後に保護剤として、植物性油脂と家���に適した黒褐色顔料からなる保護塗料によって研磨した部分に塗布した無垢板材を曲線状、又は折線状、又は直線状に接合した装飾材であった。【００２３】節・板目を強調して曲線状模様接合を付けた装飾的天板は、一枚接合板状の厚板の無垢板材の天板であって、前記天板体の側面にも節・板目・腐食模様を強調した模様を呈しており、節・板目を強調して曲線状模様を付けた装飾天板は、表面にして、この天板体の裏面に脚を取り付けて節・板目を強調して曲線状模様を付けた装飾天板のテーブルとした。
【実施例２】
【００２４】実施例１と同様に、図２に示すように木材の天板表面の中央部に木材の特有な節、及び板目模様を付けた装飾体を付けたテーブル家具において、無垢材厚さ４０ｍｍ、幅２５０ｍｍ、長さ２２００ｍｍのオークの無垢材の平板表面に節部１〜２個、板目模様を１〜２個を存在するように横縁面を曲線状にＮＣ機によって切削して、各無垢材に接する両横縁面をお互いに密着接合できるようにして、５枚を前記無垢材の横縁面で張り合わせて、天板の表面に幻想的で木目の異相面になっている直線状模様２本と折れ線状模様１本と曲線状模様１本とを縦方向に４本線と、２０〜８０ｍｍ径の節部１０箇と、鮮明な模様板目部８個とを所有している節・板目を強調して曲線状模様を付けた装飾天板のテーブルであった。【００２５】厚さ４０ｍｍ、幅２５０ｍｍ、長さ２２００ｍｍの無垢材の平板表面に節部１〜２個、板目模様を１〜２個を存在する曲線状無垢材は、節部と板目模様部とそれぞれ存在させて、各無垢板の木目模様が異質に引き立たせて、接合面を装飾的模様の状態になるように、５枚の無垢板の各々に曲線部４箇所を設けるようにＮＣ装置にて正確に横縁面で一致するように切削加工を行い、これらの各々の曲線状無垢材をお互いに接合させて、一枚の長方体の無垢板で装飾的な表面配置になった天板であった。【００２６】天板表面に厚さ４０ｍｍ、曲線部を含む幅２５０ｍｍ、長さ２２００ｍｍのオーク材の無垢材５枚を横縁面で張り合わせ天板の表面に節部１〜２個、板目模様を１〜２個を持ち、横縁面を直線状模様２本と折れ線状模様１本と曲線状模様１本とにＮＣ機によって前記無垢材を切断して直線状模様２本と折れ線状模様１本と曲線状模様１本との無垢材を使用して、各直線状模様２本と折れ線状模様１本と曲線状模様１本との無垢材に接する両横縁面を密着接合した、幅１０００ｍｍ、長さ２２００ｍｍのテーブルにおいて、前記無垢材を、オーク材の直線部、折れ線部、曲線部を含む幅２５０ｍｍ、長さ２２００ｍｍであって、４本線を異相模様の木質材で曲面をもって互いに合わせるように接合して、表面に幻想的な木目で異なる直線模様と折れ線模様と曲線模様を縦方向に４本線と、２０〜８０ｍｍ径の節部１０個と、鮮明な板目模様部８個とを持ち、前記節部、及び前記板目部の周辺部分である木質軟部を研磨して、木材面の木質硬部の節形状と板目形状を引き立たせて、ウレタン塗料による保護剤を塗布した。【００２７】  無垢材の表面に存在する節部、及び板目部の周辺部分である木質軟部を研磨して、木材面の木質硬部の節形状と板目形状を引き立たせて模様を付けた装飾板材を製作する当たり、えぐりカッターにより彫り込み、その部分を２種類以上のサンドペーパーにより順次に研磨することによって得られた無垢の木材であり、木質硬部の節形状と板目形状をえぐりカッターにより彫り込み、その部分を順次に研磨した後、保護剤として、液体ウレタン樹脂と家具に適した顔料からなる保護塗料によって研磨した部分に塗布した装飾材であった。【００２８】節・板目を強調して直線状模様２本と折れ線状模様１本と曲線状模様１本との無垢材を付けた装飾天板は、一枚のオークの無垢板のものであって、天板の側面にも節・板目を強調した曲線状模様を呈してお���、天板の厚さを４０ｍｍになった。
【実施例３】
【００２９】実施例１と同様に、図４に示すように木材の天板表面の中央部に木材の特有な節、及び板目模様を付けた装飾体を付けた箱状天板体のテーブル家具において、無垢材厚さ２０ｍｍ、幅３００ｍｍ、長さ１８００ｍｍの無垢材の平板表面に節部１〜２個、板目模様を１〜２個を存在するように接合面を曲線状にそれぞれＮＣ機によって切削して、各無垢材に接する両接合面をお互いに密着接合できるようにして、３枚を前記無垢材の横縁面で張り合わせて、天板の表面に幻想的で木目の異相面になっている線模様部の曲線状２本の箱状天板体と、２０〜８０ｍｍ径の節部３箇と、鮮明な模様板目部４個とを所有している節・板目を強調して線状模様を付けた装飾天板のテーブルであった。【００３０】厚さ２０ｍｍ、幅２５０ｍｍ、長さ１８００ｍｍの無垢材の平板表面に節部１個、板目模様を１個を存在する曲線状２本の無垢材からなる箱状天板体は、節部と板目模様部とそれぞれ存在させて、各無垢板の木目模様が異質に引き立たせて、接合面を装飾的模様の状態になるように、３枚の無垢板の各々に曲線状２本と接合面を設けるようにＮＣ装置にて正確に横縁面で一致するように切削加工を行い、これらの各々の曲線状無垢材をお互いに接合させて、一枚の長方箱状体の無垢板で装飾的な表面配置になった箱状天板体であった。【００３１】天板表面に厚さ１０ｍｍ、曲線部を含む幅３００ｍｍ、長さ１８００ｍｍの無垢材５枚を横縁面で張り合わせ天板の表面に節部１〜２個、板目模様を１〜２個を持ち、横縁面を曲線状２本にＮＣ機によって前記無垢材を切断して曲線状オーク無垢材を使用して、各曲線状無垢材に接する両横縁面を密着接合した、幅１９００ｍｍ、長さ１８００ｍｍのテーブルにおいて、前記無垢材を、オークの曲線部を含む幅３００ｍｍ、長さ１８００ｍｍであって、２本線を異相模様の木質材で曲面をもって互いに合わせるように接合して、表面に幻想的な木目で異なる線模様部を縦方向に２本線と、２０〜８０ｍｍ径の節部３個と、鮮明な板目模様部３個とを持ち、前記節部、及び前記板目部の周辺部分である木質軟部を研磨して、木材面の木質硬部の節形状と板目形状を引き立たせて、保護剤を塗布した。【００３２】無垢材の表面に存在する節部、及び板目部の周辺部分である木質軟部を研磨して、木材面の木質硬部の節形状と板目形状を引き立たせて模様を付けた装飾板材を製作する当たり、えぐりカッターにより彫り込み、その部分を２種類以上のサンドペーパーにより順次に研磨することによって得られた無垢の木材であり、木質硬部の節形状と板目形状をえぐりカッターにより彫り込み、その部分を順次に研磨した後、保護剤として、テーブルに適した顔料からなる保護塗料によって研磨した部分に塗布した装飾材であった。節・板目・腐食部を強調して曲線状模様を付けた箱状天板体は、一枚の無垢板のものであって、天板の側面にも節・板目・腐食部を強調した曲線状模様を呈した箱状天板体のテーブルでなった。
【符号の説明】
【００３３】１．割れ線部（腐食変形部）
２．節部（意匠的な節部）
３．板目部  （板目模様）
４．横縁面
５．天板体
６．曲線形状体の接合
７．箱状天板体
８．脚部
９．曲線状接合面
１０．折れ線状接合面
１１  直線状接合面
１２．補助部
１３．物入部
【図１】
0003227190.tif 000003
【図２】
0003227190.tif 000004
【図３】
0003227190.tif 000005
【図４】
0003227190.tif 000006